(57)【要約】【目的】逆止弁閉止力の低下を防ぎ、炭酸ガスの溶け込み量が多い、即ち、ガスボリュウムの高い炭酸水を製造することを可能とした炭酸水製造装置を提供する。【構成】水リザーバ１０に貯留している飲料水を加圧送出する水ポンプ１１と、水ポンプ１１が送出した加圧水のカーボネータタンク４１内への通過を許可する給水弁１７と、カーボネータタンク４１からの逆流を防ぐ逆止弁を内設する水噴射ノズル５０とを配設し、水ポンプ１１の駆動と同時に給水弁１７を開放して加圧水をカーボネータタンク４１内に噴射し、水ポンプ１１の駆動停止と同時に給水弁１７を閉塞し、閉塞した給水弁１７を所定時間経過後に暫時開放するように制御する制御部９１を設けた。【選択図】        図１
2006035151.tif 000002
【特許請求の範囲】
【請求項１】
炭酸ガスで加圧されたカーボネータタンク内の炭酸ガス雰囲気中にカーボネータタンクの上方に設けた水噴射ノズルから加圧水を噴射して炭酸水を製造し、該炭酸水をカーボネータタンク内の下部に貯蔵するとともに、炭酸ガスのガス圧で炭酸水を外部に吐出する炭酸水製造装置において、
水リザーバに貯留している飲料水を加圧送出する水ポンプと、前記水ポンプが送出した加圧水の前記カーボネータタンク内への通過を許可する水電磁弁と、カーボネータタンクからの逆流を防ぐ逆止弁とを配設し、
前記水ポンプの駆動と同時に前記水電磁弁を開放して加圧水を前記カーボネータタンク内に噴射し、水ポンプの駆動停止と同時に水電磁弁を閉塞し、前記閉塞した水電磁弁を所定時間経過後に暫時開放するように制御する制御手段を設けたことを特徴とする炭酸水製造装置。
【請求項２】
前記逆止弁を前記水噴射ノズルに内設したことを特徴とする請求項１に記載の炭酸水製造装置。
【発明の詳細な説明】
【技術分野】
【０００１】
本発明は、カップ式飲料自動販売機や飲料ディスペンサなどの炭酸飲料供給装置に適用される炭酸水製造装置に関するものである。
【背景技術】
【０００２】
例えば、炭酸飲料を販売するカップ式飲料自動販売機には、その内部に炭酸水製造装置が設けられている。この炭酸水製造装置は、円筒状のカーボネータタンクを有し、カーボネータタンクの上部に、加圧水を噴射する水噴射ノズル、炭酸ガスが所定の圧力で供給されるガスノズル、およびカーボネータタンク内の炭酸水の下限水位を検出する下限水位センサと上限水位を検出する上限水位センサを取り付け、カーボネータタンク内の下部に炭酸水吐出管を導入したものである。
下限水位センサが炭酸水の下限水位を検出すると、図６（ａ）のタイミングチャートに示すように、制御部は、給水弁（水電磁弁）を開く（開放する）とともに水ポンプ（加圧ポンプ）を駆動する。水ポンプは飲料水を加圧（略０．８５ＭＰａ）して送出し、給水弁、逆止弁を介して水噴射ノズルからカーボネータタンク内の所定圧力（略０．５５ＭＰａ）の炭酸ガス雰囲気中に加圧水を噴射すると、加圧水と炭酸ガスとの直接的な接触、および加圧水による攪拌効果により周囲雰囲気から炭酸ガスを巻き込み、炭酸ガスが水に溶け込んで炭酸水が製造され、カーボネータタンク内の下部に貯蔵される。そして、上限水位センサが炭酸水の上限水位を検出すると、制御部は、給水弁を閉じる（閉塞する）とともに水ポンプの駆動を停止し、カーボネータタンク内への加圧水の噴射を停止する。その後は、カーボネータタンクから必要量の炭酸水が炭酸水吐出管を介して外部に吐出される（例えば、特許文献１参照）。
【特許文献１】特開平１０−１８００６４号公報（第３頁、第３図）
【発明の開示】
【発明が解決しようとする課題】
【０００３】
このようにして、制御部は、給水弁を開くとともに水ポンプを駆動して加圧水を送出し、給水弁を閉じるとともに水ポンプの駆動を停止して加圧水の送出を停止する。この給水弁を開き水ポンプを駆動して加圧水を送出しているときは、給水弁の上流側圧力と下流側圧力は水ポンプの送出圧（略０．８５ＭＰａ）と等しく、給水弁を閉じて水ポンプが送水を停止すると給水弁上流側圧力は大気圧まで低下するが、図６（ｂ）の逆止弁上流側圧力（給水弁下流側圧力）図に示すように、給水弁下流側圧力は送出圧（略０．８５ＭＰａ）が残り、その後徐々に給水弁下流側から上流側への圧力漏れにより、カーボネータタンク内の炭酸ガス雰囲気圧と同じ圧力（略０．５５ＭＰａ）から略０．４ＭＰａ程度まで低下して安定する（発明者が行った実機テストから得たデータによる）。このように給水弁下流側と連通している逆止弁上流側圧力（略０．４ＭＰａから０．５５ＭＰａ）と逆止弁下流側圧力（カーボネータタンク内の炭酸ガス雰囲気圧と同じ略０．５５ＭＰａ）との圧力差、所謂逆止差圧が小さくなる。この逆止弁に加わる逆止差圧が大きいと逆流を防ぐ逆止弁閉止力も大きいが、逆止差圧が小さいと逆止弁閉止力も小さくなる。特に、逆止弁上流側圧力と下流側圧力が略等しい場合には、逆止弁閉止力はスプリングの押圧力（略０．０２ＭＰａ）のみとなり、逆止弁のボールや弁座（ゴムシート）に疵やゆがみがあると、カーボネータタンク内圧力が逆止弁の下流側から上流側へと徐々に漏れ、カーボネータタンク内の炭酸ガス雰囲気圧が所定の圧力（略０．５５ＭＰａ）より低下して、ガスボリュウムの低い（炭酸ガスの溶け込み量の少ない）炭酸水となる。
【０００４】
本発明は、上記実情に鑑みて、逆止弁閉止力の低下を防ぎ、炭酸ガスの溶け込み量が多い、即ち、ガスボリュウムの高い炭酸水を製造することを可能とした炭酸水製造装置を提供することを目的とする。
【課題を解決するための手段】
【０００５】
上記目的を達成するため、本発明の請求項１に係る炭酸水製造装置は、炭酸ガスで加圧されたカーボネータタンク内の炭酸ガス雰囲気中にカーボネータタンクの上方に設けた水噴射ノズルから加圧水を噴射して炭酸水を製造し、該炭酸水をカーボネータタンク内の下部に貯蔵するとともに、炭酸ガスのガス圧で炭酸水を外部に吐出する炭酸水製造装置において、
水リザーバに貯留している飲料水を加圧送出する水ポンプと、前記水ポンプが送出した加圧水の前記カーボネータタンク内への通過を許可する水電磁弁と、カーボネータタンクからの逆流を防ぐ逆止弁とを配設し、
前記水ポンプの駆動と同時に前記水電磁弁を開放して加圧水を前記カーボネータタンク内に噴射し、水ポンプの駆動停止と同時に水電磁弁を閉塞し、前記閉塞した水電磁弁を所定時間経過後に暫時開放するように制御する制御手段を設けたことを特徴とする。
【０００６】
また、本発明の請求項２に係る炭酸水製造装置は、上述した請求項１において、前記逆止弁を前記水噴射ノズルに内設したことを特徴とする。
【発明の効果】
【０００７】
請求項１の発明によれば、炭酸水製造装置において、水リザーバに貯留している飲料水を加圧送出する水ポンプと、前記水ポンプが送出した加圧水の前記カーボネータタンク内への通過を許可する水電磁弁と、カーボネータタンクからの逆流を防ぐ逆止弁とを配設し、前記水ポンプの駆動と同時に前記水電磁弁を開放して加圧水を前記カーボネータタンク内に噴射し、水ポンプの駆動停止と同時に水電磁弁を閉塞し、前記閉塞した水電磁弁を所定時間経過後に暫時開放するように制御する制御手段を設けたので、逆止弁閉止力の低下を防ぎ、カーボネータタンク内の圧力の漏れを防ぐことができるので、カーボネータタンク内の炭酸ガス圧力が所定の圧力（略０．５５ＭＰａ）より低下することがなくなり、炭酸ガスの溶け込み量が多い、即ち、ガスボリュウムの高い炭酸水を製造することを可能とした炭酸水製造装置を提供することができるようになる。
【０００８】
請求項２の発明によれば、前記逆止弁を前記水噴射ノズルに内設したので、逆止弁を単体で設ける場合に比べて、コンパクトに設けることができる。
【発明を実施するための最良の形態】
【０００９】
以下に添付図面を参照して、本発明に係る炭酸水製造装置の好適な実施例を詳細に説明する。なお、この実施例によりこの発明が限定されるものではない。
【実施例】
【００１０】
まず、本発明の実施例に係る炭酸水製造装置を適用したカップ式飲料自動販売機の回路構成を図１に基づいて説明する。なお、図１は本発明の実施例に係るカップ式飲料自動販売機の回路構成を説明する概念図である。ここで例示するカップ式飲料自動販売機１は、貨幣の投入後に利用者の要求に応じてホット飲料もしくはコールド飲料を生成し、これをベンドステージ２に供給したカップ３に注出するもので、製氷機６、水リザーバ１０、水ポンプ１１、冷却水槽１５、水冷却コイル１６、給水弁１７、カーボネータ４０、水噴射ノズル５０、温水タンク６０、コーヒー豆キャニスタ６６、ミル６７、コーヒーブリュア６８などを備えている。
希釈液供給回路５は、冷水、炭酸水、湯などを供給するためのものであり、水リザーバ１０、水ポンプ１１、給水弁１２を有している。給水弁１２を開くと水道水は水リザーバ１０に貯えられ、水ポンプ１１を駆動することによって水リザーバ１０から圧送される。水ポンプ１１で圧送された飲料水は冷水回路１３または温水回路１４に送出される。冷水回路１３に送出された飲料水は、冷却水槽１５に浸漬した水冷却コイル１６を経由することにより冷却される。
【００１１】
水冷却コイル１６には給水弁１７と冷水管路１８とが接続してある。また、給水弁１７には、カップ３に炭酸水を供給するカーボネータ４０が水噴射ノズル５０を介して接続してあり、給水弁１７を開いて水ポンプ１１を駆動すると水噴射ノズル５０からカーボネータ４０に冷水（飲料水）が加圧されて（加圧水）供給される。
冷水管路１８には、冷水弁２０を介して冷水注出ノズル２１が接続してあり、コールド飲料注出時（販売時）には冷水弁２０を開いて水ポンプ１１を駆動すると、冷水注出ノズル２１からカップ３に冷水を注出する。
カーボネータ（炭酸水製造装置）４０は、冷却水槽１５に浸漬してある。カーボネータ４０には、炭酸ガスボンベ２２から炭酸ガスが供給され、この炭酸ガスが冷水に溶解して、冷水は炭酸水となる。カーボネータ４０には、炭酸水弁２３を介して炭酸水注出ノズル２４が接続してあり、炭酸水弁２３を開くと、炭酸ガスボンベ２２から供給される炭酸ガスの圧力でカーボネータ４０から押し出された炭酸水がカップ３に注出される。
【００１２】
また、冷却水槽１５には、複数のシロップ冷却コイル３２が浸漬してあり、シロップ飲料の原液となる各種のシロップがそれぞれ貯蔵してある複数のシロップコンテナ３０がシロップ売切装置３６を介して接続してある。各シロップコンテナ３０には、それぞれ、炭酸ガスボンベ２２から炭酸ガスが供給され、シロップ冷却コイル３２にはシロップ弁３３を介してシロップ注出ノズル３４が接続されている。そして、シロップ弁３３を開くと、シロップコンテナ３０に貯蔵してあるシロップが炭酸ガスボンベ２２から供給される炭酸ガスの圧力で押し出され、シロップ売切装置３６からシロップ冷却コイル３２を通流したシロップは冷却されて、シロップ注出ノズル３４からカップ３に注出される。
製氷機６は、製氷部と貯氷庫とを有していて、水リザーバ１０から供給された水を製氷して貯氷庫で貯蔵し、アイス飲料を販売するときに貯氷庫に貯蔵している氷をアイスダクト（図示せず）からカップ３に供給する。
【００１３】
給水弁２５を介して温水回路１４に供給された飲料水は、温水タンク６０に貯えられ、温水タンク６０内でヒータ（図示せず）により沸かされて湯になる。温水タンク６０には、複数の湯弁６１が配設してある。各湯弁６１は、湯管路６２によってミキシングボール６３、コーヒーブリュア６８またミキシングボール７０に接続してあり、湯弁６１を開くことにより、湯管路６２を通って湯が供給される。
ミキシングボール６３は、原料キャニスタ６４から供給された粉末原料と、温水タンク６０から供給された湯とを撹拌してホット飲料とした後に、ホット飲料注出ノズル６５からカップ３に注出される。
コーヒーブリュア６８は、コーヒー豆キャニスタ６６から供給されたコーヒー豆をミル６７で挽いた挽き豆に温水タンク６０から供給された湯を注湯することによりコーヒー飲料を抽出する。また、コーヒー飲料の抽出滓は滓バケツ７２に廃棄される。
【００１４】
コーヒーブリュア６８に接続してあるミキシングボール７０は、原料キャニスタ６９から供給された砂糖、クリーム等の粉末原料とコーヒー飲料とを撹拌した後に、コーヒー飲料注出ノズル７１からカップ３に注出する。または、原料キャニスタ６９から供給された粉末原料とコーヒー飲料と温水タンク６０から供給された湯とを撹拌したアメリカンコーヒーを注出する。
以上説明したカップ式飲料自動販売機１において、ベンドステージ２に供給したカップ３に炭酸飲料を注出する場合には、まず、製氷機６からカップ３に氷を供給する。次に、注出する炭酸飲料の原料となるシロップコンテナ３０に接続してあるシロップ弁３３と炭酸水弁２３とを開く。すると、シロップコンテナ３０に貯蔵してあるシロップが炭酸ガスボンベ２２から供給される炭酸ガスの圧力で押し出され、シロップ売切装置３６、シロップ冷却コイル３２を通ってシロップ注出ノズル３４からカップ３に供給される。一方、カーボネータ４０内の炭酸水は炭酸ガスボンベ２２から供給される炭酸ガスの圧力で押し出され、炭酸水注出ノズル２４からカップ３に供給される。このようにしてカップ３に供給されたシロップと炭酸水と氷とはカップ３内で混合され、炭酸飲料となる。
【００１５】
また、カップ３にコーヒー飲料を注出する場合には、コーヒー豆キャニスタ６６のコーヒー豆をミル６７で挽いた挽き豆をコーヒーブリュア６８に供給する一方、コーヒーブリュア６８に接続した湯弁６１を開いて温水タンク６０に貯えている湯を湯管路６２を介してコーヒーブリュア６８に供給する。そして、挽き豆からコーヒー成分を抽出し、ミキシングボール７０にコーヒー飲料を供給する。ミキシングボール７０では、原料キャニスタ６９から砂糖、クリームなどの粉末原料を、さらに飲料の種類によっては温水タンク６０に貯えている湯を加えて撹拌混合した後に、コーヒー飲料注出ノズル７１からカップ３にコーヒー飲料を注出する。
図２は、図１に示したカップ式飲料自動販売機１のカーボネータ４０の構造を示す側断面図である。４１はカーボネータタンク（密閉容器）であり、該タンク４１には外部から炭酸ガス４６を導入するガスノズル４２、タンク４１内の上部から加圧水４７を下向きに噴射する水噴射ノズル５０を嵌着させるノズルベース４３、タンク４１内に貯蔵した炭酸水４８を外部に吐出する炭酸水吐出管４４、および水噴射ノズル５０の下方に対峙してタンク４１内の中段に配した受皿４５、および、図示しない炭酸水の上限水位を検出して上限水位信号を出力する上限水位センサ９３、炭酸水の下限水位を検出して下限水位信号を出力する下限水位センサ９４（図４参照）を備え、炭酸ガスボンベ２２（図１参照）からガスノズル４２を通じてタンク４１内に供給した炭酸ガス４６の雰囲気中に水噴射ノズル５０から加圧水４７を噴射して炭酸水４８を製造し、炭酸水弁２３（図１参照）を開くとタンク４１内に貯蔵した炭酸水４８を炭酸水吐出管４４を通じて吐出する。
【００１６】
図３は、水の逆流を防止する逆止弁を内設する水噴射ノズル５０の構造を示す側断面図である。図３（ａ）は、水噴射ノズル５０内の流路を逆止弁で閉鎖している状態を示し、加圧水が流入する流入部５１ａ、５１ｂを有する接続端５１と、この接続端５１にねじ接続することにより、ゴムシート５２にボール５４を押圧して水の逆流を防止するスプリング５５を内設する弁ケース５６と、弁ケース５６とねじ接続され、流出部５６ａ、流出穴５６ｂから流出した加圧水を噴射させる噴射孔５７ａを有するノズル５７と、ゴムシート５２を装着するワッシャ５３を有し、ゴムシート５２、ボール５４およびゴムシート５２にボール５４を押圧するスプリング５５で逆止弁を構成する。また、水噴射ノズル５０とノズルベース４３との間からの炭酸ガス漏れ防止用Ｏリング５８、弁ケース５６とノズル５７との間からの加圧水漏れ防止用Ｏリング５９を備える。
【００１７】
そして、加圧水が接続端５１から圧送されると、図３（ｂ）に示すように、ボール５４が流入する加圧水圧で押し下げられて（図中下方向）、ゴムシート５２とボール５４との間に生じた隙間から流入した加圧水が流出穴５６ｂを介してノズル５７の噴射孔５７ａから噴射される。このように、接続端５１にねじ接続する弁ケース５６内にゴムシート５２にボール５４を押圧して水の逆流を防止するスプリング５５を内設することにより、逆止弁を単体で設ける場合に比べて、コンパクトに設けることができる。
図４は、カップ式飲料自動販売機１の制御系を示すブロック図である。図４に示すようにカップ式飲料自動販売機１は、自販機制御部９０および制御部（制御手段）９１を備えている。自販機制御部９０は、商品選択ボタンＤおよび硬貨処理部Ｎの動作を制御するものである。具体的には、カップ式飲料自動販売機１のコイン投入口から硬貨が投入された場合、自販機制御部９０は、硬貨処理部Ｎを通じてその正偽を判定し、正貨であった場合にさらに投入金額の認識を行う。商品販売に必要とする金額の硬貨が投入された場合、自販機制御部９０は、商品選択ボタンＤを有効化し、さらに有効化した商品選択ボタンＤが押下された場合、商品選択信号を制御部９１に与える。制御部９１は、自販機制御部９０から商品選択信号が与えられた場合、予めメモリ９２に格納したプログラムやデータに従って、カップ式飲料自動販売機１各部の飲料供給制御を行う。
【００１８】
下限水位センサ９４が炭酸水の下限水位を検出して下限水位信号を出力すると、図５（ａ）のタイミングチャートに示すように、制御部９１は、給水弁１７（水電磁弁）を開く（開放する）とともに水ポンプ１１を駆動する。水ポンプ１１は水リザーバ１０に貯留している飲料水を圧送（略０．８５ＭＰａ）し、給水弁１７を介して水噴射ノズル５０からカーボネータタンク４１内の炭酸ガス雰囲気中（略０．５５ＭＰａ）に加圧水を噴射すると、加圧水と炭酸ガスとの直接的な接触、および加圧水による攪拌効果により周囲雰囲気から炭酸ガスを巻き込み、炭酸ガスが冷水に溶け込んで炭酸水が製造され、カーボネータタンク４１の下部に貯蔵される。そして、上限水位センサ９３が炭酸水の上限水位を検出して上限水位信号を出力すると、制御部９１は、給水弁１７を閉じる（閉塞する）とともに水ポンプ１１の駆動を停止し、カーボネータタンク４１内への加圧水の噴射を停止する。なお、カーボネータ４０の仕様例を数値で表すと、内容積が２リットルのカーボネータタンク４１に対して、給水量を２００ｍｌ／１０sec に設定し、カーボネータタンク４１からの炭酸水吐出に伴う水位低下に合わせて炭酸ガス、冷水を補給制御して定量の炭酸水を常時貯蔵させるようにしている。
【００１９】
給水弁１７を開き水ポンプ１１を駆動して加圧水を送出しているときは、給水弁１７の上流側圧力と下流側圧力は水ポンプ１１の送出圧（略０．８５ＭＰａ）と等しく、給水弁１７を閉じて水ポンプ１１が送水を停止すると給水弁１７上流側圧力は大気圧まで低下するが、図５（ｂ）の逆止弁上流側圧力（給水弁１７下流側圧力）図に示すように、給水弁１７下流側圧力は送出圧（略０．８５ＭＰａ）が残り、その後給水弁１７下流側から上流側への圧力漏れにより徐々に内圧が低下する。この給水弁１７を閉じて所定時間（例えば、３秒間）経過後、給水弁１７を暫時（例えば、０．５秒間）開く。このように給水弁１７を閉じた後、再度給水弁１７を開くと、給水弁１７下流側圧力が水ポンプ１１側に拡散されるので、略０．２ＭＰａまで強制的に圧力を下げることができる。なお、大気圧まで下げるために給水弁１７を開けている時間を長くすると給水弁１７の寿命が短くなるが、発明者が行った実機テストから開放時間を０．５秒間とすると給水弁１７の寿命に殆ど影響を与えないことが確認されている。
【００２０】
このように給水弁１７を再度暫時開くことにより給水弁１７下流側圧力と等しい接続端５１の流入部５１ｂの圧力を略０．２ＭＰａまで低下させることにより、逆止弁閉止力は、スプリング５５の押圧力（略０．０２ＭＰａ）にその逆止差圧略０．３５ＭＰａを加えた押圧力となるので、ボール５４をゴムシート５２に押し付ける力が強くなり、ボール５４やゴムシート５２に疵やゆがみがあっても、カーボネータタンク４１内の圧力が漏れることがなくなるので、カーボネータタンク４１内の炭酸ガス圧力が所定の圧力（略０．５５ＭＰａ）より低下しなくなり、炭酸ガスの溶け込み量が多い、即ち、ガスボリュウムの高い炭酸水を製造することができる。
以降、制御部９１は、下限水位センサ９４から炭酸水の下限水位信号が与えられるたびに上述した動作を繰り返し実行し、炭酸水を製造する。
【００２１】
以上説明した本実施例に係るカップ式飲料自動販売機１によれば、カーボネータ４０に嵌着させた水噴射ノズル５０のボール５４やゴムシート５２に疵やゆがみがあっても、水リザーバ１０に貯留している飲料水を加圧送出する水ポンプ１１と、水ポンプ１１が送出した加圧水のカーボネータタンク４１内への通過を許可する給水弁１７と、カーボネータタンク４１からの逆流を防ぐ逆止弁を内設する水噴射ノズル５０とを配設し、水ポンプ１１の駆動と同時に給水弁１７を開放して加圧水をカーボネータタンク４１内に噴射し、水ポンプ１１の駆動停止と同時に給水弁１７を閉塞し、閉塞した給水弁１７を所定時間（例えば、３秒間）経過後に暫時（例えば、０．５秒間）開放するように制御する制御部９１を設けたので、給水弁１７の下流側圧力と等しい接続端５１の流入部５１ｂの圧力を略０．２ＭＰａまで低下させることができるので、逆止弁閉止力がスプリングの押圧力（略０．０２ＭＰａ）にその逆止差圧略０．３５ＭＰａを加えた押圧力となるので、ボール５４をゴムシート５２に押し付ける力が強くなり、カーボネータタンク４１内の圧力が漏れることがないので、カーボネータタンク４１内の炭酸ガス圧力が所定の圧力（略０．５５ＭＰａ）より低下することがなくなるので、炭酸ガスの溶け込み量が多い、即ち、ガスボリュウムの高い炭酸水を製造することができる炭酸水製造装置を提供することが可能となる。
【図面の簡単な説明】
【００２２】
【図１】本発明の実施の形態である炭酸水製造装置を備えたカップ式飲料自動販売機の回路構成を説明する概念図である。
【図２】本発明の実施の形態である炭酸水製造装置の構造を示す側断面図である。
【図３】本発明の実施の形態である炭酸水製造装置の水の逆流を防止する逆止弁を内設する水噴射ノズルの構造を示す側断面図である。
【図４】図１に示したカップ式飲料自動販売機の制御系を示すブロック図である。
【図５】本発明の実施の形態である炭酸水製造装置を示すタイミングチャートおよび逆止弁上流側圧力図である。
【図６】従来の炭酸水製造装置を示すタイミングチャートおよび逆止弁上流側圧力図である。
【符号の説明】
【００２３】
１      カップ式飲料自動販売機
２      ベンドステージ
３      カップ
５      希釈水供給回路
６      製氷機
１０      水リザーバ
１１      水ポンプ
１３      冷水回路
１５      冷却水槽
１６      水冷却コイル
１７      給水弁
２２      炭酸ガスボンベ
２３      炭酸水弁
２４      炭酸水注出ノズル
４０      カーボネータ
４１      カーボネータタンク
４２      ガスノズル
４３      ノズルベース
４４      炭酸水吐出管
４５      受皿
４６      炭酸ガス
４７      加圧水
４８      炭酸水
５０      水噴射ノズル
５１      接続端
５２      ゴムシート
５３      ワッシャ
５４      ボール
５５      スプリング
５６      弁ケース
５７      ノズル
６０      温水タンク
６６      コーヒー豆キャニスタ
６７      ミル
６８      コーヒーブリュア
９０      自販機制御部
９１      制御部
９２      メモリ
９３      上限水位センサ
９４      下限水位センサ
Ｄ      商品選択ボタン
Ｎ      硬貨処理部
【図１】
2006035151.tif 000003
【図２】
2006035151.tif 000004
【図３】
2006035151.tif 000005
【図４】
2006035151.tif 000006
【図５】
2006035151.tif 000007
【図６】
2006035151.tif 000008